(57)【特許請求の範囲】
【請求項１】
中心穴の一部に内径が奥行き方向にかけて縮小するテーパー形の嵌合穴部を有するインプラント体と、
前記嵌合穴部に嵌合するテーパー形の嵌合軸部を有するアバットメントと、
前記アバットメントの軸方向に沿って形成された貫通孔に挿通されると共に、前記インプラント体の前記中心穴に形成された連れ回り規制穴部に係合して軸周りの回転が規制される連れ回り規制軸部を有するクランパピンと、
前記アバットメントの前記貫通孔に形成された段差部に当接する当接面及び前記クランパピンの一部に形成された外ネジに螺合する内ネジを有し、前記クランパピンと前記アバットメントを相対移動させるロックナットと、
前記クランパピンと前記インプラント体の前記中心穴の間に介在し、前記クランパピンと前記アバットメントの相対移動に伴って前記クランパピンの抜け止め軸部と前記インプラント体の抜け止め穴部に係合して、前記クランパピンと前記インプラント体の相対移動を規制するクランパと、
を備えることを特徴とするインプラント。
【請求項２】
前記嵌合穴部及び前記嵌合軸部により耐圧機構が形成され、
前記インプラント体に対する前記アバットメントの回転を防止する回転防止機構と前記耐圧機構が一体的に形成されることを特徴とする請求項１に記載のインプラント。
【請求項３】
前記耐圧機構の長さは、前記インプラント体の全長の１／２以上の長さに形成されることを特徴とする請求項２に記載のインプラント。
【請求項４】
前記回転防止機構は、
前記嵌合穴部の内周面に前記奥行き方向に沿って形成された複数の突出部と、
前記嵌合軸部の外周面に軸方向に沿って形成されて前記複数の突出部がそれぞれ差し込まれる複数の溝部と、
から形成されることを特徴とする請求項２又は３に記載のインプラント。
【請求項５】
前記複数の突出部の前記奥行き方向に直交する断面形状及び前記複数の溝部の前記軸方向に直交する断面形状は、それぞれ円弧形に形成されることを特徴とする請求項４に記載のインプラント。
【請求項６】
前記インプラント体及び前記アバットメントが、セラミックスで形成されることを特徴とする請求項１から５のうちいずれか一項に記載のインプラント。
【請求項７】
前記インプラント体及び前記アバットメントが、ジルコニアで形成されることを特徴とする請求項６に記載のインプラント。
【請求項８】
前記クランパピン、前記クランパ及び前記ロックナットが、チタンまたはチタン合金で形成されることを特徴とする請求項１から７のうちいずれか一項に記載のインプラント。
【請求項９】
インプラント体の中心穴に嵌合するアバットメント体において、
テーパー軸部を有するアバットメントと、
前記アバットメントの軸方向に沿って形成された貫通孔に挿通されると共に、前記インプラント体の前記中心穴に形成された連れ回り規制穴部に係合して軸周りの回転が規制される連れ回り規制軸部を有するクランパピンと、
前記アバットメントの前記貫通孔に形成された段差部に当接する端面及び前記クランパピンの一部に形成された外ネジに螺合する内ネジを有し、前記クランパピンと前記アバットメントを相対移動させるロックナットと、
前記クランパピンと前記インプラント体の前記中心穴の間に介在し、前記クランパピンと前記アバットメントの相対移動に伴って前記クランパピンの抜け止め軸部と前記インプラント体の抜け止め穴部に係合して、前記クランパピンと前記インプラント体の相対移動を規制するクランパと、
を備えることを特徴とするアバットメント体。
【請求項１０】
外径が軸方向にかけて縮小すると共に、外周面に前記軸に沿う複数の溝部が形成されたテーパー軸部を有することを特徴とする請求項９に記載のアバットメント体。
【発明の詳細な説明】
【技術分野】
【０００１】
本発明はインプラント及びアバットメント体に関する。例えば永久歯の歯根欠損等の際に顎の骨に埋め込まれる歯科用インプラント及びアバットメント体に関する。
【背景技術】
【０００２】
体内に埋め込まれるインプラントとして、特に歯科用インプラントが注目されている。
歯科用インプラントは、一般に、虫歯や破損により永久歯の歯根が失われた場合、歯槽骨に設けた穴にインプラント体を挿入して固定するものである。従来、歯科用インプラントは、歯槽骨に固定されるインプラント体と、インプラント体に螺着され人工歯冠を装着可能なアバットメント体と、で構成される。
【０００３】
特許文献１に記載されるように、インプラント体は、その上端面に開口する穴部を有する。この穴部には、六角形穴部とテーパー穴部が形成される。
また、インプラント体には、上記六角形穴部に挿入される六角形軸部と、上記テーパー穴部に接触するテーパー軸部が形成される。
【０００４】
六角形穴部及び六角形部は、回転防止機構として機能する。回転防止部は、咬合圧に対して垂直方向周りの回転を防止する。回転防止部は、インプラント体に対するアバットメントの回転を防止する。
テーパー穴部及びテーパー軸部は、咬合圧を受ける耐圧機構として機能する。耐圧機構は、回転防止部（六角形穴部及び六角形部）に隣接して形成される。
【０００５】
インプラント体の穴部にアバットメント体を差し込むことで、テーパー穴部にテーパー軸部が楔状に食い込む。
【先行技術文献】
【特許文献】
【０００６】
【特許文献１】特開２００４−１１３７１８号公報
【発明の概要】
【発明が解決しようとする課題】
【０００７】
上記従来の技術には、以下の課題が残されている。
特許文献１に記載の技術では、咬合圧を繰り返し受けると、インプラント体とアバットメント体の締結に緩みが発生するという問題がある。
【０００８】
特許文献１に記載の技術では、耐圧機構（テーパー穴部、テーパー軸部）に咬合圧が集中するため、インプラント体のテーパー穴部の近傍等に亀裂が発生しやすい。最悪の場合には、インプラント体が割れてしまうという問題がある。
また、回転防止機構は、繰り返し咬合圧を受けると、六角形形状の頂点部分が磨耗して、徐々にガタが発生するという問題がある。
【０００９】
また、従来のアバットメントの材料には純チタンが多く採用されているが、黒色のチタン色が人工骨表面に映ってしまうという問題がある。また、術後に歯茎が下がった場合、アバットメントが露出してチタン色が目立ってしまい、審美性に劣るという不都合もある。
このため、審美性に優れた白色のセラミックスを用いてアバットメントを形成することが検討されている。しかし、アバットメント自体にネジを形成する従来の固定構造を採用すると、非常に高硬度なジルコニア等のセラミックスでネジ締結を行うとネジが破損してしまうおそれがある。
【００１０】
本発明は、咬合圧を繰り返し受けてもインプラント体とアバットメント体の締結に緩みが発生しづらいインプラント及びアバットメント体を提供することを目的とする。
また、本発明は、高い咬合圧を受けても亀裂等が発生しづらい構造を備えつつ、インプラント体に対するアバットメントの回転を長期間に亘って安定して防止することができるインプラント及びアバットメント体を提供することを目的とする。
【課題を解決するための手段】
【００１１】
本発明は、上記課題を解決するために、以下の手段を採用した。
本発明に係るインプラントは、中心穴の一部に内径が奥行き方向にかけて縮小するテーパー形の嵌合穴部を有するインプラント体と、前記嵌合穴部に嵌合するテーパー形の嵌合軸部を有するアバットメントと、前記アバットメントの軸方向に沿って形成された貫通孔に挿通されると共に、前記インプラント体の前記中心穴に形成された連れ回り規制穴部に係合して軸周りの回転が規制される連れ回り規制軸部を有するクランパピンと、前記アバットメントの前記貫通孔に形成された段差部に当接する端面及び前記クランパピンの一部に形成された外ネジに螺合する内ネジを有し、前記クランパピンと前記アバットメントを相対移動させるロックナットと、前記クランパピンと前記インプラント体の前記中心穴の間に介在し、前記クランパピンと前記アバットメントの相対移動に伴って前記クランパピンの抜け止め軸部と前記インプラント体の抜け止め穴部に係合して、前記クランパピンと前記インプラント体の相対移動を規制するクランパと、を備えることを特徴とする。
【００１２】
前記嵌合穴部及び前記嵌合軸部により耐圧機構が形成され、前記インプラント体に対する前記アバットメントの回転を防止する回転防止機構と前記耐圧機構が一体的に形成されることを特徴とする。
【００１３】
前記耐圧機構の長さは、前記インプラント体の全長の１／２以上の長さに形成されることを特徴とする。
【００１４】
前記回転防止機構は、前記嵌合穴部の内周面に前記奥行き方向に沿って形成された複数の突出部と、前記嵌合軸部の外周面に軸方向に沿って形成されて前記複数の突出部がそれぞれ差し込まれる複数の溝部と、からなることを特徴とする。
【００１５】
前記複数の突出部の前記奥行き方向に直交する断面形状及び前記複数の溝部の前記軸方向に直交する断面形状は、それぞれ円弧形に形成されることを特徴とする。
【００１６】
前記インプラント体及び前記アバットメントが、セラミックスで形成されることを特徴とする。
【００１７】
前記インプラント体及び前記アバットメントが、ジルコニアで形成されることを特徴とする。
【００１８】
前記クランパピン、前記クランパ及び前記ロックナットが、チタンまたはチタン合金で形成されることを特徴とする。
【００１９】
本発明に係るアバットメント体は、インプラント体の中心穴に嵌合するアバットメント体において、テーパー軸部を有するアバットメントと、前記アバットメントの軸方向に沿って形成された貫通孔に挿通されると共に、前記インプラント体の前記中心穴に形成された連れ回り規制穴部に係合して軸周りの回転が規制される連れ回り規制軸部を有するクランパピンと、前記アバットメントの前記貫通孔に形成された段差部に当接する端面及び前記クランパピンの一部に形成された外ネジに螺合する内ネジを有し、前記クランパピンと前記アバットメントを相対移動させるロックナットと、前記クランパピンと前記インプラント体の前記中心穴の間に介在し、前記クランパピンと前記アバットメントの相対移動に伴って前記クランパピンの抜け止め軸部と前記インプラント体の抜け止め穴部に係合して、前記クランパピンと前記インプラント体の相対移動を規制するクランパと、を備えることを特徴とする。
【００２０】
外径が軸方向にかけて縮小すると共に、外周面に前記軸に沿う複数の溝部が形成されたテーパー軸部を有することを特徴とする。
【発明の効果】
【００２１】
本発明によれば、咬合圧を繰り返し受けてもインプラント体とアバットメント体の締結に緩みが発生しづらいインプラント及びアバットメント体を実現できる。
また、本発明によれば、高い咬合圧を受けても亀裂等が発生しづらい構造を備えつつ、インプラント体に対するアバットメントの回転を長期間に亘って安定して防止することができるインプラント及びアバットメント体を実現できる。
【図面の簡単な説明】
【００２２】
【図１】インプラントの歯科分野における使用例の説明図である。
【図２】実施形態に係るインプラントの分解斜視図である。
【図３】インプラントの側面図である。
【図４】インプラントの縦断面図である。
【図５】インプラントの横断面図である。
【図６】インプラント体を示す図である。
【図７】アバットメント体を示す図である。
【図８】アバットメントを示す図である。
【図９】クランパピンを示す図である。
【図１０】クランパを示す図である。
【図１１】ロックナットを示す図である。
【発明を実施するための形態】
【００２３】
以下、本発明の実施形態につき図面を参照して説明する。なお、下記説明において示す各種寸法等は一例である。
【００２４】
図１は、インプラント５の歯科分野における使用例の説明図である。
インプラント５は、歯槽骨２に固定されるインプラント体１０と、インプラント体１０に対して着脱可能なアバットメント体８と、を備えている。アバットメント体８には、人工歯冠６が装着される。
【００２５】
インプラント体１０の外周面には、雄ネジ１２が形成される。雄ネジ１２を歯槽骨２に形成した穴に螺合することで、インプラント体１０が歯槽骨２に固定される。
アバットメント体８の外周面には接着剤等を用いて人工歯冠６が装着される。インプラント体１０とアバットメント体８との当接部Ｓは、歯茎４または歯槽骨２によって覆われることになる。
当接部Ｓの当接面は精度良く仕上げられて、当接面が相互に密着して異物の侵入を防止する。
【００２６】
図２は、本実施形態のインプラント５の分解斜視図である。
図３は、インプラント５の側面図である。
図４は、インプラント５の縦断面図である（図３のIV−IV断面）。
図５は、インプラント５の横断面図である。（ａ）は図３のVａ−Vａ断面、（ｂ）は図３のVｂ−Vｂ断面、（ｃ）は図３のVｃ−Vｃ断面、（ｄ）は図３のVｄ−Vｄ断面、（ｅ）は図３のVｅ−Vｅ断面、（ｆ）は図３のVｆ−Vｆ断面である。
図６は、アバットメント体８を示す図である。
【００２７】
上述したように、インプラント５は、インプラント体１０とアバットメント体８を備える。
アバットメント体８は、アバットメント２０、クランパピン３０、クランパ４０及びロックナット５０を組み立てたものである。
アバットメント２０は、人工歯冠６が装着される軸形部材である。クランパピン３０は、アバットメント２０の貫通孔２４に挿通すると共に、インプラント体１０に係合する軸形部材である。クランパ４０は、クランパピン３０に嵌め合わされるリング形部材である。ロックナット５０は、アバットメント２０の貫通孔２４に挿入されると共に、クランパピン３０に螺合するリング形部材である。
【００２８】
以下の説明では、クランパピン３０の中心軸をＺ軸（Ｚ方向、軸方向）とする。インプラント体１０側を＋Ｚ側（＋Ｚ方向、奥行き方向）とする。アバットメント２０側を−Ｚ側（−Ｚ方向）とする。
【００２９】
図７は、インプラント体１０を示す図である。（ａ）は上面図、（ｂ）は側面及び縦断面を示す図（図７（ａ）のVIIｂ−VIIｂ断面）、（ｃ）は下面図である。
インプラント体１０は、ジルコニア等のセラミックス材料で形成された円柱状（軸形）の部材である。インプラント体１０は、フィクスチャーとも呼ばれる。インプラント体１０のの外周面には、雄ネジ１２が形成される。
【００３０】
インプラント体１０の−Ｚ側端面の中心には、中心穴１３が開口する。
中心穴１３は、テーパー穴部１４、逆テーパー穴部１５及び係合穴部１６が奥行き方向（＋Ｚ側）に向かって連続して形成されたものである。
テーパー穴部（嵌合穴部）１４は、−Ｚ側端面から＋Ｚ側に向かって内径が徐々に縮小（縮径）する。逆テーパー穴部１５は、＋Ｚ側に向かって内径が徐々に拡大（拡径）する部位（逆テーパー部１５Ｂ）などを有する。係合穴部１６は、平行かつ対向する二つの内側面からなる平行二面１６Ａを有する。
【００３１】
テーパー穴部１４のテーパー角は、例えば４°である。テーパー穴部１４の長さ（深さ）は、インプラント体１０の全長（例えば１０ｍｍ）の１／３以上の長さ（例えば４〜５ｍｍ）に形成される。好ましくは、テーパー穴部１４の長さは、インプラント体１０の全長（例えば１２ｍｍ）の３／５程度の長さ（例えば８ｍｍ）に形成される。
テーパー穴部１４の内周側面には、Ｚ方向に沿う複数の突起１７が形成される。複数の突起１７（突出部）は、中心穴１３の周方向において、等間隔（等角度）に配置される。本実施形態では、突起１７は５本である。
突起１７のＺ軸に直交する断面の形状は、蒲鉾形である。つまり、断面の形状は、頂部側が円弧形に膨らむ。
【００３２】
逆テーパー穴部１５は、−Ｚ側から＋Ｚ側に向かって、小径部１５Ａ、逆テーパー部１５Ｂ及び大径部１５Ｃが連続して形成されたものである。
小径部（抜け止め穴部）１５Ａの内径は、テーパー穴部１４の最小内径よりも小さい。
逆テーパー部１５Ｂは、＋Ｚ側に向かって内径が徐々に拡大（拡径）する。逆テーパー部１５Ｂのテーパー角は、例えば１０°である。逆テーパー穴部１５Ｂの長さ（深さ）は、例えば０．２５ｍｍである。
大径部１５Ｃの内径は、小径部１５Ａの内径よりも大きい。大径部１５Ｃの長さ（深さ）は、例えば１．０ｍｍである。
したがって、逆テーパー穴部１５の小径部１５Ａは、中心穴１３の内周側に突出する部位となる。
【００３３】
係合穴部（連れ回り規制穴部）１６は、対向する二つの円弧形内周側面と、平行かつ対向する二つの内側面（平行二面１６Ａ）とからなる。係合穴部１６の長さ（深さ）は、例えば０．８ｍｍである。二つの平行二面１６Ａの幅（二面幅）は、約０．７ｍｍである。
【００３４】
図８は、アバットメント２０を示す図である。（ａ）は側面図、（ｂ）は縦断面図（図８（ａ）のVIIIｂ−VIIIｂ断面）、（ｃ）は下面図である。
アバットメント２０は、本体部２１とテーパー軸部２２とからなる。
本体部２１は、人工歯冠６が装着される部位である。テーパー軸部２２は、本体部２１の一端側（＋Ｚ側）から延設してインプラント体１０の中心穴１３に内挿される部位である。
アバットメント２０は、審美性に優れた白色のセラミックス材料により一体的に形成される。セラミックス材料として、例えばジルコニアが採用される。
【００３５】
テーパー軸部（嵌合軸部）２２のテーパー角は、例えば４°である。つまり、インプラント体１０の中心穴１３のテーパー穴部１４の角度と同一である。
テーパー軸部２２の長さは、テーパー穴部１４と同一又は長く形成される。テーパー軸部２２の長さは、例えば、８．１ｍｍである。
【００３６】
テーパー軸部２２の外周側面には、Ｚ方向に沿って、複数の溝部２３が形成される。複数の溝部２３は、テーパー軸部２２の周方向において、等間隔（等角度）に配置される。本実施形態では、溝部２３は５本である。つまり、テーパー穴部１４の内周側面に形成される突起１７と同数である。
また、溝部２３のＺ軸に直交する断面の形状は蒲鉾形である。断面の形状は、頂部側が円弧形に膨らむ。つまり、テーパー穴部１４の内周側面に形成される突起１７と同一形状である。
【００３７】
インプラント体１０の中心穴１３にアバットメント２０を挿入すると、アバットメント２０のテーパー軸部２２がインプラント体１０の中心穴１３のテーパー穴部１４に嵌合する。この際、テーパー軸部２２に形成された５本の突起１７は、テーパー穴部１４の５本の溝部２３に差し込まれて密着する。
【００３８】
アバットメント２０の中心には、Ｚ方向に貫通する貫通孔２４が形成される。
貫通孔２４のうち、本体部２１に対応する部位（本体部側貫通孔２４Ａ）は、内径が約２．５ｍｍに形成される。本体部側貫通孔２４Ａには、ロックナット５０が挿入される。
また、貫通孔２４のうち、テーパー軸部２２に対応する部位（テーパー軸部側貫通孔２４Ｂ）は、内径が約１ｍｍに形成される。テーパー軸部側貫通孔２４Ｂには、クランパピン３０の本体部３１がほぼ隙間なく挿通される。
本体部側貫通孔２４Ａとテーパー軸部側貫通孔２４Ｂの境には、Ｚ方向に垂直な段差面（段差部）２５が形成される。
【００３９】
図９は、クランパピン３０を示す図である。（ａ）は側面図、（ｂ）は下面図である。
クランパピン３０は、チタンまたはチタン合金により形成された細長い軸形部材である。クランパピン３０の本体部３１の直径は、約１ｍｍである。
クランパピン３０の一端側（＋Ｚ側）には、テーパー部３２及び係合軸部３３が設けられる。
【００４０】
テーパー部（抜け止め軸部）３２は、＋Ｚ側に向けて外径が徐々に拡大（拡径）する部位である。テーパー部３２の角度は、約４０°である。テーパー部３２は、インプラント体１０の中心穴１３に形成された逆テーパー穴部１５に収容される。
係合軸部（連れ回り規制軸部）３３は、円柱軸に平行かつ背向する二つ外側面（平行二面３３Ａ）を形成した部位である。平行二面３３Ａの幅（二面幅）は、約０．８ｍｍである。係合軸部３３は、中心穴１３の最深部に形成された係合穴部１６に嵌め込まれる。
【００４１】
クランパピン３０の他端側（−Ｚ側）には、Ｍ１サイズの右ネジである外ネジ３４が設けられる。外ネジ３４のネジ寸法などは、本体部３１の直径等に応じて、適宜変更可能である。
クランパピン３０の長さは、インプラント５を組み立てた際に、外ネジ３４がアバットメント２０の貫通孔２４の本体部側貫通孔２４Ａに露出する（位置する）ような長さである。
【００４２】
図１０は、クランパ４０を示す図である。（ａ）は側面図、（ｂ）は下面図、（ｃ）は縦断面図（図１０（ａ）のXｃ−Xｃ断面）である。
クランパ４０は、チタンまたはチタン合金により形成されたリング形部材である。クランパ４０の外径は、インプラント体１０の中心穴１３の逆テーパー穴部１５の最小内径（小径部１５Ａの内径）より僅かに小径である。クランパ４０の外径は、例えば約１．４ｍｍである。
クランパ４０の内径は、約１ｍｍである。クランパ４０は、クランパピン３０に外嵌して用いられる。クランパ４０は、クランパピン３０のテーパー部３２に引っ掛かる位置に配置される。クランパ４０は、インプラント５を組み立てた際に、インプラント体１０の中心穴１３の逆テーパー穴部１５に収容される。
なお、クランパ４０の外径を逆テーパー穴部１５の最小内径より僅かに大径として、逆テーパー穴部１５にこじ入れてもよい。
【００４３】
クランパ４０は、一端側（＋Ｚ側）に、８本の櫛歯４１が形成される。櫛歯４１は、クランパ４０がクランパピン３０のテーパー部３２の乗り上がった際に、外周側に向けて弾性変形して広がる部位である。
クランパ４０の櫛歯４１は、いわゆるコレットチャックと同様な動作をする。クランパ４０の櫛歯４１が外周側に向けて広がると、クランパ４０の最大外径は、テーパー穴部１４の最小内径（小径部１５Ｂの内径）よりも大径になる。したがって、クランパ４０は、逆テーパー穴部１５の小径部１５Ｂに引っ掛かる（介在する）。このため、クランパ４０が外嵌されたクランパピン３０は、−Ｚ側への移動が規制される。
【００４４】
図１１は、ロックナット５０を示す図である。（ａ）は上面図、（ｂ）は縦断面図（図１１（ａ）のXIｂ−XIｂ断面）である。
ロックナット５０は、チタンまたはチタン合金により形成されたリング形（円筒形）部材である。
ロックナット５０の内周面には、Ｍ１サイズの右ネジである内ネジ５２が設けられる。内ネジ５２のネジ寸法などは、外ネジ３４に対応して適宜変更可能である。
ロックナット５０の＋Ｚ側の端面（当接面）５０Ａは、アバットメント２０の貫通孔２４の段差面２５に当接しつつ、中心軸（中心穴）回りに回転可能に形成される。
ロックナット５０の−Ｚ側の端面５０Ｂには、マイナスドライバ（不図示）が挿入される直線溝５３が設けられる。つまり、この直線溝５３にマイナスドライバを係合して、ロックナット５０は、を回転させることが可能である。
【００４５】
ロックナット５０は、アバットメント２０の貫通孔２４（本体部側貫通孔２４Ａ）に挿入される。ロックナット５０の外周面５０Ｓと本体部側貫通孔２４Ａとの間には、僅かな隙間が設けられる。ロックナット５０の内ネジ５２は、本体部側貫通孔２４Ａに露出するクランパピン３０の外ネジ３４に螺合する。
したがって、インプラント５を組み立てた状態で、ロックナット５０を右回転させると、ロックナット５０の端面５０Ａがアバットメント２０の貫通孔２４の段差面２５に当接しつ摺動する。これと同時に、内ネジ５２に螺合するクランパピン３０をアバットメント２０に対して−Ｚ側に移動させることができる。
【００４６】
インプラント５の組み立ては、以下の手順に従って行われる（インプラント治療の二回法）。
まず、予めインプラント体１０を患者の歯槽骨２に埋入した後、歯茎４を縫い合わせる。個人差があるが、歯槽骨２とインプラント体１０を３〜６ヶ月程度かけて骨密着させる。
【００４７】
インプラント体１０とは別に、アバットメント２０側を組み立てる（図６参照）。アバットメント２０、クランパピン３０、クランパ４０及びロックナット５０により、アバットメント体８を組み立てる。なお、アバットメント体８は、組み立てた形態で販売（譲渡）され、流通する。
【００４８】
まず、クランパ４０をクランパピン３０に外嵌する。そして、クランパピン３０をアバットメント２０の貫通孔２４の＋Ｚ側から挿入して、クランパピン３０の他端側（−Ｚ側）を本体部側貫通孔２４Ａに配置する（露出させる）。
また、アバットメント２０の貫通孔２４にロックナット５０を挿入する。
【００４９】
次に、クランパピン３０の外ネジ３４にロックナット５０の内ネジ５２を螺合する。
具体的には、ロックナット５０を不図示のマイナスドライバで右回転させる。ロックナット５０の端面５０Ａがアバットメント２０の貫通孔２４の段差面２５に触れる（軽く当接する）まで右回転させて、クランパピン３０の外ネジ３４にロックナット５０の内ネジ５２を螺合させる。
これにより、アバットメント体８の組み立てが完了する。
【００５０】
そして、患者の歯槽骨２に埋入したインプラント体１０の中心穴１３にアバットメント体８を挿入する。これにより、アバットメント２０のテーパー軸部２２は、インプラント体１０の中心穴１３のテーパー穴部１４に楔状に嵌め込まれる。
また、クランパピン３０の一端側（−Ｚ側）の係合軸部３３がインプラント体１０の中心穴１３の最底部（＋Ｚ側）の係合穴部１６に差し込まれる。つまり、クランパピン３０の係合軸部３３の平行二面３３Ａとインプラント体１０の係合穴部１６の平行二面１６Ａが密着（嵌合）する。
【００５１】
次に、不図示のマイナスドライバをロックナット５０の直線溝５３に嵌めて右回転させる。これにより、ロックナット５０は、端面５０Ａがアバットメント２０の貫通孔２４の段差面２５に当接しつつ摺動するので、Ｚ方向に移動せずに回転する。これと同時に、クランパピン３０の外ネジ３４がロックナット５０の内ネジ５２に更に螺合するので、クランパピン３０が−Ｚ方向に移動する。
【００５２】
この際、クランパピン３０の係合軸部３３がインプラント体１０の係合穴部１６に差し込まれて、係合軸部３３の平行二面３３Ａと係合穴部１６の平行二面１６Ａが密着（嵌合）している。このため、クランパピン３０の回転が規制されて、ロックナット５０と共に連れ回ることがない。したがって、クランパピン３０は、−Ｚ方向に移動する。
【００５３】
そして、クランパピン３０が−Ｚ方向に移動すると、クランパピン３０に外嵌したクランパ４０の他端側（−Ｚ側）がアバットメント２０の＋Ｚ側の端部に当接して、クランパ４０の＋Ｚ方向への移動が規制される。
さらにクランパピン３０を＋Ｚ方向に移動させると、クランパ４０の内周側にクランパピン３０のテーパー部３２が差し込まれる（クランパ４０がテーパー部３２に乗り上がる）。これにより、クランパ４０の＋Ｚ側の８本の櫛歯４１が外周側に向けて弾性変形して広がる。
したがって、クランパ４０がインプラント体１０の中心穴１３の小径部１５Ａに引っ掛かり、クランパ４０及びクランパピン３０の−Ｚ側への移動が規制される。
【００５４】
そして、クランパ４０及びクランパピン３０の−Ｚ側への移動が規制された状態で、ロックナット５０を更に右回転させる。これにより、アバットメント２０が＋Ｚ方向に移動する。つまり、アバットメント２０がインプラント体１０に向けて更に移動して、アバットメント２０のテーパー軸部２２がインプラント体１０の中心穴１３のテーパー穴部１４に更に楔状に食い込む。
このようにして、インプラント５がガタツキなく強靭に組み立てられる。
【００５５】
その後に、インプラント５のアバットメント２０の−Ｚ側の外周面に接着剤等を用いて人工歯冠６を装着する。
これにより、インプラント５の組み立てが完了する。
【００５６】
インプラント５では、アバットメント２０に作用する外力（咬合圧Ｆ）を繰り返し受けたとしても、インプラント体１０とアバットメント２０の締結に緩みは殆ど発生しない。
インプラント体１０とアバットメント２０の締結の緩みは、ネジ締結の緩みが原因となりうる。しかし、インプラント５では、クランパピン３０とロックナット５０の締結にのみにネジ締結が用いられる。つまり、インプラント５では、ネジ締結をアバットメント２０側に設けているため、インプラント体１０とアバットメント２０の締結の緩みの可能性が極めて低い。
特に、アバットメント２０とロックナット５０をネジ締結していないので、アバットメント２０に作用する外力がロックナット５０に伝わりづらい。このため、クランパピン３０とロックナット５０のネジ締結が緩みづらい。
【００５７】
また、インプラント５では、テーパー軸部２２とテーパー穴部１４を嵌合する（差し込む）ことで、アバットメント２０に作用する外力（咬合圧Ｆ）を受け止める耐圧機構６０として機能させている（図１参照）。
特に、耐圧機構６０は、テーパー軸部２２とテーパー穴部１４のＺ方向の長さが従来よりも十分に長いので、咬合圧Ｆを受け止める面積が大きくなり、高い耐圧性能を備える。したがって、アバットメント２０に対して、Ｚ軸方向に対して交差する方向から咬合圧Ｆを受ける場合（インプラント５を前歯に使用する場合）においても、咬合圧Ｆを確実に受け止めるので、アバットメント２０やインプラント体１０に亀裂が発生したり、欠けたりすることがない。
【００５８】
また、アバットメント２０をインプラント体１０の中心穴１３に挿入する際に、インプラント体１０の中心穴１３のテーパー穴部１４の内周側面に形成された５本の突起１７が、アバットメント２０のテーパー軸部２２の外周側面に形成された５本の溝部２３に差し込まれる。
このように、テーパー穴部１４の内周側面の突起１７とテーパー軸部２２の外周側面の溝部２３が噛合うので、インプラント体１０に対するアバットメント２０の回転が規制される。つまり、テーパー穴部１４の突起１７とテーパー軸部２２の溝部２３が回転防止機構７０として機能する。
【００５９】
言い換えれば、インプラント５では、咬合圧Ｆを受け止める耐圧機構６０（テーパー軸部２２とテーパー穴部１４）と回転防止機構７０（突起１７と溝部２３）を一体的に形成しているので、従来よりも咬合圧Ｆを受け止める耐圧機構６０を長く（深く）形成することができる。具体的には、耐圧機構６０（テーパー軸部２２とテーパー穴部１４）の長さを、インプラント体１０の全長の１／３以上の長さにする。
したがって、インプラント５は、アバットメント２０やインプラント体１０に亀裂や欠けが発生することなく、強い咬合圧Ｆを確実に受け止めることができる。
【００６０】
なお、本発明の技術範囲は、上述した実施形態に限定されるものではなく、本発明の趣旨を逸脱しない範囲において、上述した実施形態に種々の変更を加えたものを含む。すなわち、実施形態で挙げた具体的な材料や層構成などはほんの一例に過ぎず、適宜変更が可能である。
【００６１】
例えば、実施形態では、インプラント体１０、アバットメント２０を構成する生体適合性セラミックス材料としてジルコニア（酸化ジルコニウム）を採用したが、アルミナ（酸化アルミニウム）や酸化イットリウム、酸化ハフニウム、酸化シリコーン、酸化マグネシウム、酸化セリウム等を採用してもよい。
なお、インプラント体１０、アバットメント２０は、チタンやチタン合金等の金属材料で形成してもよい。
【００６２】
また、実施形態では、クランパ４０を構成する金属材料として生体親和性に優れたチタンを採用したが、チタン合金を採用してもよい。チタン合金として、例えばチタンとアルミニウムとの合金を採用することができる。クランパ４０を形状記憶合金で形成してもよい。また、クランパ４０を、樹脂(ゴム)などの弾性体材料で形成してもよい。
また、クランパの櫛歯４１の本数は８本の場合に限らない。櫛歯４１の本数は、少なくとも２本以上であればよい。
【００６３】
インプラント体１０の係合穴部１６とクランパピン３０の係合軸部３３にそれぞれ平行二面１６Ａ，３１Ｂを形成して嵌合させる場合について説明したが、これに限らない。平行二面１６Ａ，３１Ｂに代えて、多角形穴部と多角形軸部にしてもよい。
【００６４】
また、本発明のインプラント５は、歯科治療に用いる場合に限らない。インプラント５を使用した骨折治療方法や、インプラント５を人工関節に使用してもよい。
【符号の説明】
【００６５】
５…インプラント、  ８…アバットメント体、  １０…インプラント体、  １３…中心穴、  １４…テーパー穴部（嵌合穴部）、  １５Ａ…小径部（抜け止め穴部）、  １５Ｂ…逆テーパー部、  １６…係合穴部（連れ回り規制穴部）、  １６Ａ…平行二面、  １７…突起（突出部）、  ２０…アバットメント、  ２２…テーパー軸部（嵌合軸部）、  ２３…溝部、  ２４…貫通孔、  ２５…段差面（段差部）、  ３０…クランパピン、  ３２…テーパー部（抜け止め軸部）、  ３３…係合軸部（連れ回り規制軸部）、  ３３Ａ…平行二面、  ３４…外ネジ、  ４０…クランパ、  ５０…ロックナット、  ５０Ａ…端面（当接面）、  ５２…内ネジ、  ６０…耐圧機構、  ７０…回転防止機構、  Ｆ…咬合圧
【図１】
0005816904.tif 000002
【図２】
0005816904.tif 000003
【図３】
0005816904.tif 000004
【図４】
0005816904.tif 000005
【図５】
0005816904.tif 000006
【図６】
0005816904.tif 000007
【図７】
0005816904.tif 000008
【図８】
0005816904.tif 000009
【図９】
0005816904.tif 000010
【図１０】
0005816904.tif 000011
【図１１】
0005816904.tif 000012